(57)【要約】【課題】多くのキャンペーンの申込者に、店舗を訪問するためのインセンティブを付与することが可能なキャンペーン管理システムを提供する。【解決手段】キャンペーンコードを用いたキャンペーンを管理するキャンペーン管理システム１であって、キャンペーンコード管理部２３と、受付部２１と、当選決定部２２と、携帯端末５の情報記憶部に第１の結果情報を記憶させる情報を送信する送信部２５と、顧客の携帯端末５と通信を行う通信部４１を備え、通信部４１は、顧客の携帯端末５の携帯端末情報を少なくとも取得し、所定の第１の結果情報が含まれる場合には、再申込情報を顧客の携帯端末５に送信し、通信部２１は当選決定部２２が行った再度の決定に基づく第２の結果情報を前記顧客の携帯端末５に送信することを特徴とするキャンペーン管理システム１。【選択図】図１
2020030655.tif 000002
【特許請求の範囲】
【請求項１】
店舗において特典を得るために利用可能なキャンペーンコードを用いたキャンペーンを管理するキャンペーン管理システムであって、
前記キャンペーンコードの管理を行うキャンペーンコード管理部と、
前記キャンペーンの申込者の携帯端末を用いて行われる参加申込を受け付ける受付部と、
前記参加申込が受け付けられた前記申込者の携帯端末に前記キャンペーンコードを発行するか否かを決定する当選決定部と、
前記申込者の携帯端末の情報記憶部に前記当選決定部による決定の結果に基づく第１の結果情報を記憶させる情報を送信する送信部と、
前記店舗に設置され、前記店舗の顧客の携帯端末と通信を行う通信部と、
を備え、
前記通信部は、
前記顧客の携帯端末の情報記憶部に記憶されている情報である携帯端末情報を少なくとも取得し、
前記携帯端末情報に所定の前記第１の結果情報が含まれる場合には、前記キャンペーンへの再申込に関する再申込情報を前記顧客の携帯端末に送信し、
前記当選決定部は、
前記再申込情報を送信した前記顧客の携帯端末に前記キャンペーンコードを発行するか否かの再度の決定を行い、
前記通信部は、前記再度の決定の結果に基づく第２の結果情報を前記顧客の携帯端末に送信することを特徴とするキャンペーン管理システム。
【請求項２】
前記当選決定部は、
前記申込者の携帯端末に前記キャンペーンコードを発行するか否かを決定する第１の当選決定部と、
前記再申込情報を送信した前記顧客の携帯端末に前記キャンペーンコードを発行するか否かの再度の決定を行う第２の当選決定部とからなることを特徴とする請求項１に記載のキャンペーン管理システム。
【請求項３】
前記第１の結果情報は、
前記申込者の携帯端末が、前記キャンペーンへの参加申込に用いられたものであることを示す情報を少なくとも含むことを特徴とする請求項１または請求項２に記載のキャンペーン管理システム。
【請求項４】
前記第１の結果情報は、
前記キャンペーンコードが発行されないことを示す落選情報を少なくとも含むことを特徴とする請求項１から請求項３のいずれか１項に記載のキャンペーン管理システム。
【請求項５】
前記第１の結果情報は、
前記キャンペーンコードが発行されないことを示す落選情報、あるいは前記キャンペーンコードが発行されることを示す当選情報のいずれかを少なくとも含むことを特徴とする請求項１から請求項３のいずれか１項に記載のキャンペーン管理システム。
【請求項６】
前記結果情報を少なくとも記憶する記憶部を更に備え、
前記通信部は、前記顧客の携帯端末の識別情報を更に取得するものであり、
前記キャンペーンコード管理部は、前記識別情報を前記携帯端末情報に含まれる前記第１の結果情報と関連づけて前記記憶部に記憶させることを特徴とする請求項１から請求項５のいずれか１項に記載のキャンペーン管理システム。
【請求項７】
前記通信部は、取得した前記識別情報が前記記憶部に記憶されていない場合に、前記再申込情報を前記顧客の携帯端末に送信することを特徴とする請求項６に記載のキャンペーン管理システム。
【請求項８】
前記キャンペーンコード管理部は、前記第１の結果情報あるいは前記第２の結果情報に基づいてキャンペーンコードを発行するものであり、
前記キャンペーンコード管理部は、発行した前記キャンペーンコードを、前記識別情報と関連づけて前記記憶部に記憶させることを特徴とする請求項６または請求項７に記載のキャンペーン管理システム。
【請求項９】
店舗において特典を得るために利用可能なキャンペーンコードを用いたキャンペーンを管理する方法であって、
前記キャンペーンの申込者の携帯端末を用いて行われる参加申込を受け付ける受付ステップと、
前記受付ステップにて参加申込が受け付けられた前記申込者の携帯端末に前記キャンペーンコードを発行するか否かを決定する一次抽選ステップと、
前記申込者の携帯端末の情報記憶部に前記一次抽選ステップによる決定の結果に基づく第１の結果情報を記憶させる情報を送信する第１の結果情報送信ステップと、
前記店舗の顧客の携帯端末と通信を行い、前記顧客の携帯端末の情報記憶部に記憶されている情報である携帯端末情報を少なくとも取得する情報取得ステップと、
前記携帯端末情報に所定の前記第１の結果情報が含まれる場合に、前記キャンペーンへの再申込に関する再申込情報を前記顧客の携帯端末に送信する再申込情報送信ステップと、
前記再申込情報を送信した前記顧客の携帯端末に前記キャンペーンコードを発行するか否かの再度の決定を行う二次抽選ステップと、
前記二次抽選ステップの結果に基づく第２の結果情報を前記顧客の携帯端末に送信する第２の結果情報送信ステップからなることを特徴とするキャンペーン管理方法。
【請求項１０】
店舗において特典を得るために利用可能なキャンペーンコードを用いたキャンペーンを管理するキャンペーン管理サーバ用プログラムであって、
電子計算機器に、
前記キャンペーンコードの管理を行うキャンペーンコード管理機能と、
前記キャンペーンの申込者の携帯端末を用いて行われる参加申込を受け付ける受付機能と、
前記参加申込が受け付けられた前記申込者の携帯端末に前記キャンペーンコードを発行するか否かを決定する一次抽選機能と、
前記申込者の携帯端末の情報記憶部に前記当選決定機能による決定の結果に基づく第１の結果情報を記憶させる情報を送信する第１の結果情報送信機能と、
前記店舗に設置され、前記店舗の顧客の携帯端末と通信を行う通信部が取得した
前記顧客の携帯端末の情報記憶部に記憶されている情報である携帯端末情報に所定の前記第１の結果情報が含まれる場合に、前記キャンペーンへの再申込に関する再申込情報を前記顧客の携帯端末に送信する再申込情報送信機能と、
前記再申込情報送信機能が前記再申込情報を送信した前記顧客の携帯端末に前記キャンペーンコードを発行するか否かの再度の決定を行う二次抽選機能と、
前記二次抽選機能による決定の結果に基づく第２の結果情報を前記顧客の携帯端末に送信する第２の結果情報送信機能を実現するためのキャンペーン管理サーバ用プログラム。
【発明の詳細な説明】
【技術分野】
【０００１】
本発明は、商品や商品サンプルなどの頒布品や、購入価格の値引きや景品などの購入特典、あるいは画像や映像などの特典情報などの特典と引き替え可能なキャンペーンコードを頒布して行われるキャンペーンの管理に用いて好適なキャンペーン管理システムに関する。
【背景技術】
【０００２】
近年、商品やサービスの広告や販売促進、あるいは商品サンプリングや店舗の集客力向上などを目的として、特定の商品と引換可能なキャンペーンコードを頒布して行うキャンペーンが行われている。
【０００３】
また、テレビ放送とインターネットを活用したキャンペーンによって、テレビ放送などのメディアの視聴者に、店舗を訪問するためのインセンティブを付与し、集客力を上る試み（Ｏｎ  Ａｉｒ  ｔｏ  Ｏｎ  ｌｉｎｅ  ｔｏ  Ｏｆｆｌｉｎｅ）も行われている。即ちメディアの視聴者に商品などと引換可能なキャンペーンコードを、ネットワーク等を介して頒布し、メディアの視聴者を店舗に誘導する試みが行われている。その様なキャンペーンでは、キャンペーンの告知がテレビの番組やＣＭ、あるいは雑誌や新聞などの刊行物など様々なメディアを介して行われ、その際に、キャンペーンの申込サイトのＵＲＬなどの情報を含むＱＲコード（登録商標）がその告知と共に表示される。このキャンペーンの告知を見たメディアの視聴者あるいは読者（以降において「視聴者等」とも記載する。）は、表示されているＱＲコードを自身の携帯端末等で撮影して参加申込サイトにアクセスし、更に必要な情報を入力するなどしてキャンペーンへの参加申込を行う。
【０００４】
そして、この様なキャンペーンの管理を行うキャンペーン管理システムも知られている（例えば、特許文献１参照。）。このキャンペーン管理システムでは、告知が行われるメディアに応じて異なる種類のキャンペーンコードが発行されるため、キャンペーンへの参加申込を行った申込者が視聴したメディアの種類や、実際に店舗を訪問した申込者が視聴したメディアの種類の分析などを行うことができる。
【０００５】
なおこれらのキャンペーンでは、キャンペーンの主催者等によって、キャンペーンへの参加申込を行った申込者の中から、抽選などの方法によってキャンペーンコードが発行される当選者が選定される。そして、この特許文献１に記載のキャンペーン管理システムでは、この当選者を選定する際に、申込者の携帯端末の表示画面にゲーム画面を表示させ、そのゲームの結果によって当選者を選定することが行われる。この様にして当選者を選定することによってキャンペーンの射興性を増し、より多くの視聴者等の関心を引くことのできるキャンペーンが行える様になっている。
【先行技術文献】
【特許文献】
【０００６】
【特許文献１】特開２０１８−０９２４２７号公報
【発明の概要】
【発明が解決しようとする課題】
【０００７】
この様なキャンペーン管理システムでは、キャンペーンの申込者に、イベントに参加しているという実感や満足感を与えることが期待できる。このためキャンペーンへの関心が高まり、多くの参加申込が行われて、より多くの視聴者等を店舗に誘導できることが期待できる。一方、このキャンペーン管理システムによって実際に店舗に誘導できるのは、キャンペーンコードが発行された当選者に限定されてしまうという問題がある。即ち、ゲームに負けて当選者に選定されなかった申込者（落選者）には、店舗を訪れるためのインセンティブを与えることができないという問題があった。
【０００８】
本発明は、上記の課題を解決するためになされたものであって、より多くのキャンペーンの申込者に、店舗を訪問するためのインセンティブを付与することが可能なキャンペーン管理システムを提供することを目的とする。
【課題を解決するための手段】
【０００９】
上記目的を達成するために、本発明は、以下の手段を提供する。
本発明のキャンペーン管理システムは、店舗において特典を得るために利用可能なキャンペーンコードを用いたキャンペーンを管理するキャンペーン管理システムであって、前記キャンペーンコードの管理を行うキャンペーンコード管理部と、キャンペーンの申込者の携帯端末を用いて行われる参加申込を受け付ける受付部と、前記参加申込が受け付けられた前記申込者の携帯端末に前記キャンペーンコードを発行するか否かを決定する当選決定部と、前記申込者の携帯端末の情報記憶部に前記当選決定部による決定の結果に基づく第１の結果情報を記憶させる情報を送信する送信部と、前記店舗に設置され、前記店舗の顧客の携帯端末と通信を行う通信部を備え、前記通信部は、前記顧客の携帯端末の情報記憶部に記憶されている情報である携帯端末情報を少なくとも取得し、前記携帯端末情報に所定の前記第１の結果情報が含まれる場合には、前記キャンペーンへの再申込に関する再申込情報を前記顧客の携帯端末に送信し、前記当選決定部は、前記再申込情報を送信した前記顧客の携帯端末に前記キャンペーンコードを発行するか否かの再度の決定を行い、前記通信部は、前記再度の決定の結果に基づく第２の結果情報を前記顧客の携帯端末に送信することを特徴とする。
【００１０】
上記発明においては、前記当選決定部は、前記申込者の携帯端末に前記キャンペーンコードを発行するか否かを決定する第１の当選決定部と、前記再申込情報を送信した前記顧客の携帯端末に前記キャンペーンコードを発行するか否かの再度の決定を行う第２の当選決定部とからなることを特徴とすることが好ましい。
【００１１】
上記発明においては、前記第１の結果情報は、前記申込者の携帯端末が前記キャンペーンへの参加申込に用いられたことを示す情報を少なくとも含むことを特徴とすることが好ましい。
【００１２】
上記発明においては、前記第１の結果情報は、前記キャンペーンコードが発行されないことを示す落選情報を少なくとも含むことを特徴とすることが好ましい。
【００１３】
上記発明においては、前記第１の結果情報は、前記キャンペーンコードが発行されないことを示す落選情報、あるいは前記キャンペーンコードが発行されることを示す当選情報のいずれかを少なくとも含むことを特徴とすることが好ましい。
【００１４】
上記発明においては、前記結果情報を少なくとも記憶する記憶部を更に備え、前記通信部は、前記顧客の携帯端末の識別情報を更に取得するものであり、前記キャンペーンコード管理部は、前記識別情報を前記携帯端末情報に含まれる前記第１の結果情報と関連づけて前記記憶部に記憶させることを特徴とすることが好ましい。
【００１５】
上記発明においては、前記通信部は、取得した前記識別情報が前記記憶部に記憶されていない場合に、前記再申込情報を前記顧客の携帯端末に送信することを特徴とすることが好ましい。
【００１６】
上記発明においては、前記キャンペーンコード管理部は、前記第１の結果情報あるいは前記第２の結果情報に基づいてキャンペーンコードを発行するものであり、前記キャンペーンコード管理部は、発行した前記キャンペーンコードを、前記識別情報と関連づけて前記記憶部に記憶させることを特徴とすることが好ましい。
【発明の効果】
【００１７】
本発明のキャンペーン管理システムによれば、店舗の顧客の携帯端末に、既に行われた当選者の選定に関する所定の結果情報が記憶されていた場合に、店舗の顧客の携帯端末にキャンペーンへの再申込に関する情報が表示され、再度のキャンペーンの申込が可能となる。このため、既にキャンペーンの参加申込を行い、所定の結果を受信した申込者に、店舗を訪問するインセンティブを付与することが可能なキャンペーン管理システムを提供できるという効果を奏する。
【図面の簡単な説明】
【００１８】
【図１】本発明によるキャンペーン管理システムの一実施形態を示すブロック図である。
【図２】本発明によるキャンペーン管理システムの一実施形態の一次抽選の当選時の処理の一例を示す図である。
【図３】本発明によるキャンペーン管理システムの一実施形態のキャンペーンコードの発行時及び商品の引換時の処理の一例を示す図である。
【図４】本発明によるキャンペーン管理システムの一実施形態の一次抽選の落選時の処理の一例を示す図である。
【図５】本発明によるキャンペーン管理システムの一実施形態の二次抽選の処理の一例を示す図である。
【図６】図６（ａ）は、本発明によるキャンペーン管理システムの一実施形態におけるキャンペーンコード管理テーブルの一例を示す図である。図６（ｂ）は、本発明によるキャンペーン管理システムの一実施形態におけるキャンペーンコード管理テーブルの他の一例を示す図である。
【図７】キャンペーン管理サーバ２の一次抽選時の動作を示すフロー図である。
【図８】キャンペーン管理サーバ２の二次抽選時の動作を示すフロー図である。
【図９】キャンペーン管理サーバ２のキャンペーンコードの発行時、および商品引換時の動作を示す図である。
【図１０】本発明によるキャンペーン管理システムの変形例を示すブロック図である。
【発明を実施するための形態】
【００１９】
以下、この発明の一実施形態に係るキャンペーン管理システムについて図１から図９を参照しながら説明する。なお本実施形態では、本発明に係るキャンペーン管理システム１を、商品メーカーが自社の商品の売れ行き動向や、当該商品の需要者層の情報などを収集するために行われる商品サンプリングのキャンペーンに用いる例に適用して説明を行う。なお以降の説明において、当該キャンペーンにて頒布される商品サンプルを「商品」とも記載する。
【００２０】
本実施形態では、キャンペーンの告知がテレビの放送番組中にて行われ、その放送画面に、キャンペーンへの申し込み受付を受け付けるインターネットの参加申込サイトの情報（ＵＲＬ）が表示される例に適用して説明を行う。具体的には、キャンペーンの告知が行われる番組の放送画面に、インターネットの参加申込サイトの情報（ＵＲＬ）がスマートフォンや携帯電話などの携帯端末が読み取り可能な二次元コードであるＱＲコード（登録商標）として表示され、その視聴者が、自身の携帯端末を用いて表示されたＱＲコードを撮影して参加申込サイトにアクセスし、キャンペーンの参加申込を行う例に適用して以降の説明を行う。
【００２１】
本実施形態にかかるキャンペーン管理システム１は、キャンペーン管理サーバ２と、店舗管理サーバ３、及び通信部４１から主に構成されている。
【００２２】
キャンペーン管理サーバ２は、キャンペーンへの参加申込の受付や、商品の引き替える際に用いられるキャンペーンコードの発行、及びその管理を主に行うサーバ装置である。キャンペーン管理サーバ２は、インターネット回線６に接続され、申込者の携帯端末５と通信できるようになっている。
【００２３】
携帯端末５は、スマートフォンや携帯電話、あるいはタブレットなどの公知の携帯情報端末である。携帯端末５は、主に無線ＬＡＮなどで用いられる公知の無線通信規格などに従って無線通信装置と無線通信（以降において「無線ＬＡＮ通信」とも記載する。）を行う機能や、携帯電話回線や無線ＬＡＮ通信を介してインターネットに接続する機能を有している。また、写真や動画を撮影するカメラ機能や、使用者が入力操作を行う入力デバイス、及び所定の表示を行う表示部も備えている。なお、これらの部分は図１において図示されていない。またカメラ機能を用いて、所定のインターネットサイトのアクセス情報が含まれるＱＲコードを撮影し、当該サイトにアクセスする機能も有している。
【００２４】
携帯端末５には、所定の情報を記憶する図示されていない記憶部が備えられている。この記憶部には、携帯端末５を識別する固有の識別番号や、携帯端末５が訪問したインターネットサイトを管理するサーバから送信された、サイトの訪問履歴（ｃｏｏｋｉｅ）等が記憶される。
【００２５】
本実施形態では、キャンペーン管理サーバ２及び店舗管理サーバ３が、専用のプログラムがインストールされたサーバ装置やＰＣ装置である例に適用して以降の説明を行う。即ち、サーバ装置やＰＣ装置のハードウェアと、それらにインストールされたプログラムが協働することにより、キャンペーン管理サーバ２及び店舗管理サーバ３の各部の機能が実現されている例に適用して以降の説明を行う。またキャンペーン管理システム１のその他の部分が、ハードウェアとインストールされたプログラムが協働することにより実現されていてもよい。なお、キャンペーン管理システム１の構成は、これに限定される訳ではなく、例えばキャンペーン管理システム１の各部が、それぞれ専用の機能を有したハードウェアから構成されていてもよい。あるいは、キャンペーン管理サーバ２や店舗管理サーバ３の各部の機能が、それぞれ複数のサーバ装置等によって実現されていてもよい。あるいは、キャンペーン管理サーバ２や店舗管理サーバ３が、一台のサーバ装置等から構成されていてもよい。
【００２６】
キャンペーン管理サーバ２は、受付部２１、第一の当選決定部２２、キャンペーンコード管理部２３、記憶部２４、送信部２５、店舗側受信部２６、第二の当選決定部２７及び店舗側送信部２８を主に備えている。
【００２７】
受付部２１は、キャンペーンの参加申込を行う視聴者等（以降において「申込者」とも記載する。）の携帯端末５の表示部に、キャンペーンの申込サイトの画面を表示させ、申込者による参加申込を受け付ける部分である。具体的には、申込者が、自身の携帯端末５の表示部に表示された申込サイトの画面に従って入力したキャンペーンへの参加申込に関する情報（以降において「参加申込情報」とも記載する。）を受信して、参加申込を受け付ける機能を主に有する部分である。なお参加申込情報には、申込者を識別可能な情報（以降において「申込者識別情報」とも記載する。）や、受付部２１が参加申込を受け付けた時間に関する情報など、参加申込に関連するその他の情報が含まれていてもよい。
【００２８】
本実施形態では、申込者が参加申込サイトにて申込者識別情報として自身のメールアドレスを入力すると、受付部２１がその参加申込を受け付ける例に適用して以降の説明を行う。なお申込者識別情報は、申込者の携帯番号や氏名など、その他の申込者を識別可能な情報でもよい。また受付部２１は、例えば申込者が参加申込サイトにアクセスしたことを確認できる情報など、参加申込に関するその他の情報を受信すると参加申込を受け付ける処理を行ってもよい。
【００２９】
第一の当選決定部２２は、キャンペーンの管理を行う管理者が予め定めた条件に従って、キャンペーンコードが発行される申込者（以降において「当選者」とも記載する。）を選定する処理（以降において「一次抽選」とも記載する。）を行う部分である。即ち第一の当選決定部２２は、参加申込サイトから参加申込を行った申込者にキャンペーンコードを発行するか否かを決定する部分である。また第一の当選決定部２２は、当選者を選定するために必要となる表示（以降において「抽選画面」とも記載する。）を、携帯端末５に表示させる抽選画面情報を出力する機能も有している。
【００３０】
本実施形態では、携帯端末５の表示部に表示された抽選画面に従って、申込者が携帯端末５を操作して送信した情報に基づいて、第一の当選決定部２２が当選者を選定する処理を行う例に適用して以降の説明を行う。なお第一の当選決定部２２は、申込者の携帯端末５から送信された情報の他、参加申込情報や参加申込に関するその他の情報に基づいて、当選者を選定する処理を行ってもよい。あるいは第一の当選決定部２２は、管理者が予め定めたキャンペーンコードの発行予定数や、既に発行したキャンペーンコードの累積数に基づいて当選者を選定したり、あるいは乱数を用いて当選者を選定したりするなど、その他の公知の抽選方法で当選者を選定する処理を行ってもよい。また第一の当選決定部２２は、抽選画面にて申込者による情報の入力を求めずに、当選者を選定する処理を行ったり、あるいは入力された情報によらずに当選者を選定する処理を行ったりしてもよい。
【００３１】
本実施形態では、第一の当選決定部２２が抽選画面としてゲームＡの画面を申込者の携帯端末５の表示部に表示させる信号を出力し、当選者を選定する処理を行う例に適用して以降の説明を行う。即ち第一の当選決定部２２は、申込者の携帯端末５の表示部にゲームＡの画面を表示させ、申込者がゲームＡの画面に従って携帯端末を操作して送信した信号に従って、当選者を選定する処理を行う例に適用して以降の説明を行う。換言すれば、第一の当選決定部２２は、申込者による携帯端末５の操作に基づいてゲームＡの勝敗を決定し、そのゲームＡの結果に基づいてキャンペーンコードを発行するか否かを決定する処理を行う例に適用して以降の説明を行う。
【００３２】
キャンペーンコード管理部２３は、キャンペーンコードの発行に関する情報の管理などを主に行う部分である。具体的には、キャンペーンコード管理部２３は、第一の当選決定部２２による決定に基づいて、その決定の結果に関する情報（以降において「第１の結果情報」とも記載する。）を出力する機能を有している。本実施形態では、キャンペーンコード管理部２３は、当選者として選定された申込者には、第１の結果情報としてキャンペーンコードが発行されることを示す当選情報を出力し、第一の当選決定部２２がキャンペーンコードを発行しないと決定した申込者（以降において「落選者」とも記載する。）に対しては、第１の結果情報としてキャンペーンコードが発行されない事を示す落選情報を出力する例に適用して以降の説明を行う。更に本実施形態では、キャンペーンコード管理部２３が、当選者に対しては識別可能な固有の当選情報を、落選者に対しては識別可能な固有の落選情報を出力する例に適用して以降の説明を行う。
【００３３】
キャンペーンコード管理部２３は、詳細は後述する第二の当選決定部２７による再度の決定に基づいて、再度の決定の結果に関する情報（以降において「第２の結果情報」とも記載する。）を出力する機能も有している。
【００３４】
更にキャンペーンコード管理部２３は、店舗４の顧客（以降において単に「顧客」とも記載する。）の携帯端末５が、その記憶部に記憶している情報（以降において「携帯端末情報」とも記載する。）に基づいて、当該顧客がキャンペーンの再申込（以降において「二次抽選」とも記載する。）の対象となるか否かを判定する機能も有している。具体的に説明すると、顧客の携帯端末５の携帯端末情報に所定の第１の結果情報が含まれている場合には、キャンペーンコード管理部２３は、当該顧客の携帯端末５が、二次抽選の対象となる申込者の携帯端末であると判定する。即ち、キャンペーンコード管理部２３は、その携帯端末５が、キャンペーンの一次抽選にて二次抽選への参加条件を満たす所定の抽選結果を取得した携帯端末であると判定する。
【００３５】
そしてキャンペーンコード管理部２３は、詳細は後述する第二の当選決定部２７に、二次抽選の対象になると判定された携帯端末５に対して、キャンペーンの再申込に関する情報（以降において「再申込情報」とも記載する。）を表示させる信号の出力の指示を行う機能も有している。
【００３６】
一方、顧客の携帯端末５の携帯端末情報に所定の第１の結果情報が記憶されていな場合には、キャンペーンコード管理部２３は、当該携帯端末５は二次抽選の対象ではないと判定する。この際、キャンペーンコード管理部２３は、第二の当選決定部２７に再申込情報を表示させる信号の出力の指示を行わない。なお、キャンペーンコード管理部２３は、キャンペーンの告知やキャンペーンの参加申込サイトの情報を表示させる信号を、二次抽選の対象ではないと判定された携帯端末５に出力する指示を行う機能を有してもよい。
【００３７】
本実施形態では、前述の所定の第１の結果情報が、落選情報である場合に適用して以降の説明を行う。即ち、顧客の携帯端末５の携帯端末情報に落選情報が含まれている場合に、キャンペーンコード管理部２３が、当該携帯端末５が二次抽選の対象となる携帯端末であると判定する例に適用して以降の説明を行う。
【００３８】
更にキャンペーンコード管理部２３は、当選者の携帯端末５から送信されたキャンペーンコードの発行を要求する信号を受信すると、固有のキャンペーンコードを発行する機能も有している。またキャンペーンコード管理部２３は、店舗４のキャッシュレジスタ４３等からの問合せを受けて、商品の引き換えに用いられるキャンペーンコードが適正なものであるかを判定する機能や、商品の引換に用いられたキャンペーンコードを、引換済みのキャンペーンコードとして詳細は後述する記憶部２４に記憶させる機能も有している。
【００３９】
記憶部２４は、主にキャンペーンコード管理部２３が出力した第１の結果情報や第２の結果情報、及びキャンペーンコード管理部２３が発行したキャンペーンコードを記憶する公知の記憶デバイスである。本実施形態では、第１の結果情報や第２の結果情報、及び発行されたキャンペーンコードは、申込者識別情報や携帯端末５の識別情報と紐づけられて、キャンペーンコード管理テーブルとして記憶部２４に記憶されている例に適用して以降の説明を行う。なお、キャンペーンコード管理テーブルには、発行されたキャンペーンコードが、商品と引き替えられたか否かを示す情報も含まれている。
【００４０】
送信部２５は、第一の当選決定部２２やキャンペーンコード管理部２３が出力した情報を、申込者の携帯端末５が処理可能な信号として送信する部分である。具体的には、送信部２５は、キャンペーンコード管理部２３が出力した第１の結果情報を、申込者の携帯端末５の記憶部に記憶させる信号を送信する機能を有している。また送信部２５は、第一の当選決定部２２が出力した抽選画面情報に基づいて、申込者の携帯端末５の表示画面に抽選画面を表示させる信号を送信する機能も有している。なお送信部２５は、予め定められたレイアウトの設定などに従って抽選画面を携帯端末５の表示部に表示させる信号を作成し、申込者の携帯端末５に送信する機能も有している。
【００４１】
更に送信部２５は、第一の当選決定部２２が当選者を選定する処理を行う間、一次抽選を行っていることを示す画面を、申込者の携帯端末５に表示させる信号を出力する機能も有していてもよい。
【００４２】
店舗側受信部２６は、詳細は後述する通信管理部３２から送信される、店舗４の顧客の携帯端末５に関する情報を主に受信する部分である。
【００４３】
第二の当選決定部２７は、キャンペーンコード管理部２３が二次抽選の対象となると判定した店舗４の顧客の携帯端末５に、キャンペーンコードを発行するか否かの再度の決定を行う部分である。具体的には、第二の当選決定部２７は、キャンペーンコード管理部２３の判定の結果に従って、所定の第１の結果情報を記憶していた顧客の携帯端末５に再申込情報を送信する。そして第二の当選決定部２７は、当該顧客にキャンペーンコードを発行するか否かの再度の決定（二次抽選）を行う。
【００４４】
より具体的には、第二の当選決定部２７は、再申込情報として、再度の抽選が行われる際に携帯端末５の表示部に表示される画面（以降において「再抽選画面」とも記載する。）に関する情報である再抽選画面情報を、キャンペーンコード管理部２３が二次抽選の対象となると判定した顧客の携帯端末５に送信する処理を行う。そして、当該顧客の携帯端末５にキャンペーンコードを発行するか否かの決定、即ち当該顧客を当選者として選定するか否かの決定を行う。
【００４５】
本実施形態では、表示された再抽選画面に従って、店舗４の顧客が携帯端末５を操作して送信した情報に基づいて、第二の当選決定部２７が、キャンペーンコードを発行するか否かの再度の決定を行う例に適用して以降の説明を行う。なお第二の当選決定部２７は、携帯端末情報に含まれていた第１の結果情報や、通信部４１が取得した顧客のその他の情報、あるいは管理者が予め定めたキャンペーンコードの発行予定数や、既に発行したキャンペーンコードの累積数に基づいて当選者を選定してもよい。また第二の当選決定部２７は、例えば乱数を用いて当選者を決定するなどその他の公知の抽選方法で当選者を決定したりする処理を行ってもよい。更に第二の当選決定部２７は、再抽選画面にて顧客からの情報の入力を求めずに、当選者を再度決定する処理を行ったり、あるいは入力された情報によらずに当選者を再度決定する処理を行ったりしてもよい。
【００４６】
第二の当選決定部２７は、当選者を決定すると、その再度の決定の結果をキャンペーンコード管理部２３に出力する。キャンペーンコード管理部２３は、この第二の当選決定部２７による再度の決定の結果に基づいて、第２の結果情報を出力する。
【００４７】
本実施形態では、再抽選画面としてゲームＢの画面が、所定の第一の結果情報を記憶していた顧客の携帯端末５の表示部に表示される例に適用して以降の説明を行う。即ち、第二の当選決定部２７は、顧客がゲームＢの画面に従って携帯端末５を操作して送信した信号に従って、当選者を再度選定する処理を行う例に適用して以降の説明を行う。換言すれば、第二の当選決定部２７は、顧客による携帯端末５の操作によってゲームＢの勝敗を決定し、そのゲームＢの結果に基づいてキャンペーンコードを発行するか否かを決定する処理を行う。
【００４８】
店舗側送信部２８は、キャンペーンコード管理部２３が出力した第２の結果情報や、第二の当選決定部２７が出力した再申込情報を、詳細は後述する店舗管理サーバ３を介して通信部４１に送信する部分である。具体的に店舗側送信部２８は、第２の結果情報をキャンペーンコード管理部２３から受信すると、その結果の内容を所定の顧客の携帯端末５に表示させる信号を、店舗管理サーバ３を介して通信部４１に送信する。また店舗側送信部２８は、第二の当選決定部２７から再申込情報を受信すると、所定の顧客の携帯端末５の表示部に再抽選画面を表示させる信号を通信部４１に送信する。なお、店舗側送信部２８は、再抽選画面のレイアウトなど、携帯端末５の表示部に表示される具体的な表示内容に関する情報を、予め定められた設定に従って作成して所定の携帯端末５に送信する。なお、この具体的な表示内容に関する情報を、キャンペーンコード管理部２３や第二の当選決定部２７が作成する構成としてもよい。
【００４９】
店舗管理サーバ３は、商品の引換が行われる店舗４における情報の管理を主に行うものである。なお、図１では説明のために、一つの店舗４が記載された例を記載しているが、店舗管理サーバ３は、複数の店舗からの情報の管理を行うことが可能である。
【００５０】
店舗管理サーバ３には、店舗情報管理部３１と通信管理部３２が主に備えられている。店舗情報管理部３１は、主にキャンペーンコード管理部２３と通信を行い、店舗４において商品の引換に用いられるキャンペーンコードが適切なものであるか問い合わせる信号を送信したり、キャンペーンコードが商品等と引き替えられたことを通知する信号を送信したりする部分である。また店舗情報管理部３１は、キャンペーンコード管理部２３から送信された情報を、詳細は後述する店舗サーバ４２やキャッシュレジスタ４３に送信する機能も有している。
【００５１】
通信管理部３２は、詳細は後述する店舗４に設置される通信部４１の管理を行う部分である。通信管理部３２は、店舗側受信部２６、店舗側送信部２８及び通信部４１とそれぞれ通信可能に接続されている。なお、通信管理部３２は、複数の通信部４１と接続され、それぞれの管理を行うことが可能である。また通信管理部３２は、店舗４の顧客にインターネット接続サービスを提供したり、店舗４が取り扱う商品やサービスに関する情報を顧客の携帯端末５に送信したりする機能も有してもよい。なお、店舗情報管理部３１及び通信管理部３２は、キャンペーンコード管理部２３に情報を送信する際、店舗４の識別情報など店舗４に関する情報を付加して送信してもよい。
【００５２】
通信部４１は、店舗４に設置され、店舗４の顧客の携帯端末５と無線ＬＡＮ通信によって通信を行う無線通信装置である。通信部４１は、店舗側送信部２８から送信される第２の結果情報の内容を表示させる信号や、再抽選画面を表示させる信号を所定の顧客の携帯端末５に送信する機能を有している。また通信部４１は、携帯端末５と通信を行い、携帯端末５の固有の識別番号や、携帯端末５の記憶部に記憶されている情報を取得する機能も有している。
【００５３】
本実施形態では、通信部４１は、顧客の携帯端末５と通信を行い、携帯端末５の識別情報として携帯端末５のｍａｃ  ａｄｄｒｅｓｓを取得すると共に、携帯端末５が特定のサイトを訪問した際に記憶された訪問サイトの訪問履歴に関する情報（ｃｏｏｋｉｅ）を含む携帯端末情報を取得する例に適用して以降の説明を行う。
【００５４】
キャッシュレジスタ４３は、店舗４に設置され、商品の精算等を行う際に用いられるものであり、顧客の購入商品の精算処理を行う精算機能の他、バーコードリーダなどを用いて商品に添付されているバーコードなどの商品情報を読み取る商品情報取得機能を有している。また、磁気情報などを読み取るカードリーダーや、非接触型ＩＣカードの情報読み取り装置など、他の公知の情報取得手段も備えている。なお図１において、バーコードリーダなどの情報取得手段は図示されていない。
【００５５】
また、キャッシュレジスタ４３は、バーコードリーダや公知の情報取得手段によって、携帯端末５に表示されたキャンペーンコードを読み取り、当該キャンペーンコードが適正なものであるか店舗サーバ４２に問合せを行う機能も有している。
【００５６】
店舗サーバ４２は、キャッシュレジスタ４３や、その他の店舗の情報端末装置からの情報の収集や管理を行う部分である。店舗サーバ４２は、キャッシュレジスタ４３から送信された所定の信号を店舗情報管理部３１に送信したり、店舗情報管理部３１からの情報を対応するキャッシュレジスタ４３に送信したりする機能を有している。
【００５７】
なお、本実施形態では、店舗４と店舗管理サーバ３の間、及び店舗管理サーバ３とキャンペーン管理サーバ２の間がそれぞれ専用回線によって接続されている例に適用して以降の説明を行うが、それらがインターネット回線などの公衆回線やその他の公知に回線によって接続されていてもよい。
＜作用の説明＞
【００５８】
次に、図２〜図９を主に参照し、キャンペーン管理システム１の作用について説明を行う。はじめに申込者が一次抽選にて当選者として選定される場合の処理について、主に図２を参照して説明を行う。
【００５９】
１．一次抽選にて申込者が当選として選定される場合の処理
テレビ放送にてキャンペーンの告知を視聴した申込者は、放送画面に表示されているＱＲコードを自身の携帯端末５にて撮影し、キャンペーンの参加申込サイトにアクセスする。申込者は、表示された申込の画面に従って所定の情報を入力して参加申込を行う。本実施形態では、参加申込サイトにおいて、申込者識別情報として、申込者のメールアドレスの入力が求められる例に適用して以降の説明を行うと、申込者は、携帯端末５を操作して自身のメールアドレス「ａａａａ＠ｂｂ.ｃｏｍ」を入力してその情報を送信する（Ｓ１０）。申込者が所定の入力を行うと、受付部２１がキャンペーンの参加申込を受け付ける。
【００６０】
受付部２１は、申込者からの参加申込を受け付けると、キャンペーンへの参加申込に関する情報である参加申込情報を第一の当選決定部２２に送信する（Ｓ１１）。参加申込情報を受信した第一の当選決定部２２は、抽選画面を携帯端末５に表示させる情報を送信部２５に送信する（Ｓ１２）。送信部は、第一の当選決定部２２からの情報に基づいて、ゲームＡの画面を携帯端末５の表示部に表示させる信号を、参加申込を行った申込者の携帯端末５に送信する（Ｓ１３）。携帯端末５が送信部２５からの信号を受信すると、その表示部にゲームＡの画面が表示される。本実施形態では、送信部２５が抽選画面であるゲームＡとしてスロットゲームの画面を表示させる信号を送信する例に適用して説明を行うと、携帯端末５の表示部に、回転するスロットマシンの画像と、スロットマシンの回転を停止する停止ボタンが表示される。
【００６１】
申込者が携帯端末５を操作して、表示部に表示されている停止ボタンを押す操作を行うと、その操作に係る情報（以降において「入力情報」とも記載する。）が受付部２１に送信される（Ｓ１４）。受付部２１は、受信した入力情報を第一の当選決定部２２に送信する（Ｓ１５）。第一の当選決定部２２は、受信した入力情報に基づいて、当該申込者にキャンペーンコードを発行するか否かの決定を行い、その決定の結果をキャンペーンコード管理部２３に送信する（Ｓ１６）。本実施形態では、第一の当選決定部２２が、申込者にキャンペーンコードを発行する（当選者として選定する）決定を行う例に適用して以降の説明を行う。
【００６２】
キャンペーンコード管理部２３は、受信した第一の当選決定部２２による決定の結果に基づき、当該結果の内容を示す第１の結果情報を出力する。本実施形態では、キャンペーンコード管理部２３は、第１の結果情報として当選情報「Ｔ４５６７８９」を出力する例に適用して以降の説明を行う。なおこの当選情報は、第一の当選決定部２２による決定毎に異なる固有の情報である。
【００６３】
キャンペーンコード管理部２３は、第１の結果情報を送信部２５に送信する（Ｓ１７）。また、キャンペーンコード管理部２３は、出力した第１の結果情報を、参加申込情報に含まれる申込者識別情報と紐付けて記憶部２４のキャンペーンコード管理テーブルに記憶させる処理を行う（Ｓ１８）。即ちキャンペーンコード管理部２３は、申込者のメールアドレス「ａａａａ＠ｂｂ.ｃｏｍ」と、当選情報「Ｔ４５６７８９」を紐付けてキャンペーンコード管理テーブルに記憶させる処理を行う。なおキャンペーンコード管理部２３は、第１の結果情報だけをキャンペーンコード管理テーブルに記憶させる処理を行ってもよい。
【００６４】
送信部２５は、キャンペーンコード管理部２３が出力した第１の結果情報を、申込者の携帯端末５の記憶部に記憶させる信号を送信する（Ｓ１９）。送信部２５は、この際、第１の結果情報の内容、即ち一次抽選の結果を申込者の携帯端末５の表示部に表示させる信号も送信する。携帯端末５は、送信部２５からの信号を受信すると、携帯端末５は、当選情報をその記憶部に記憶する。また携帯端末５は、その表示部に一次抽選にて当選したことを通知する画面を表示する。本実施形態では、携帯端末５は、その表示部にゲームＡの当たり画面であるスロットマシンの当たり図柄を表示すると共に、当選したことを通知する画面を表示する。
【００６５】
２．キャンペーンコード取得及び商品引換の処理
続いて図３を参照して、当選情報を受信した申込者が、キャンペーンコードを取得して商品の引換を行う際の処理について説明を行う。
【００６６】
当選情報を受信した申込者は、携帯端末５を操作して、商品を取得するために必要なキャンペーンコードを取得する手続きを行う。具体的に説明すると、申込者が、例えば当選情報を受信した際に表示された指示に従って携帯端末５を操作することで、携帯端末５がキャンペーンコードを要求する信号を当選情報と共に送信する（Ｓ２０）。なお、携帯端末５は当選情報に代えて、あるいは当選情報と共に申込者識別情報を送信してもよい。
【００６７】
携帯端末５からのキャンペーンコードを要求する信号を受信した受付部２１は、当該信号をキャンペーンコード管理部２３に送信する（Ｓ２１）。キャンペーンコード管理部２３は、携帯端末５からのキャンペーンコードを要求する信号に基づいて、キャンペーンコードを発行する。また、キャンペーンコード管理部２３は、発行したキャンペーンコードを、当選情報と紐付けて記憶部２４のキャンペーンコード管理テーブルに記憶させる（Ｓ２２）。なおキャンペーンコード管理部２３は、発行したキャンペーンコードを、キャンペーンコードを要求する信号と共に送信された申込者識別情報やその他の情報と紐づけて記憶させる処理を行ってもよい。
【００６８】
本実施形態では、携帯端末５からのキャンペーンコード発行の要求を受けて、キャンペーンコード管理部２３がキャンペーンコード「Ｃ１２３４５６７」を発行する例に適用して説明を行うと、キャンペーンコード管理部２３は、キャンペーンコード「Ｃ１２３４５６７」を第１の結果情報である当選情報「Ｔ４５６７８９」、及び申込者識別情報「ａａａａ＠ｂｂ.ｃｏｍ」と紐付けてキャンペーンコード管理テーブルに記憶させる（図６（ａ）参照。）。またキャンペーンコード管理部２３は、発行したキャンペーンコード「Ｃ１２３４５６７」を送信部２５に送信する（Ｓ２３）。送信部２５は、発行されたキャンペーンコードを、キャンペーンコードを要求する信号を送信した携帯端末５に送信する（Ｓ２４）。
【００６９】
なお、このキャンペーンコードを取得する処理は、図示されていない店舗４の専用端末を介して行われてもよい。例えば、当選情報を受信した申込者が店舗４を訪問し、店舗４の専用端末に当選情報を入力したり、あるいは専用端末が備える読み取り装置を用いて携帯端末５の表示部に表示された当選情報を読み込ませたりすることで、キャンペーンコードを要求する信号が、店舗４の専用端末からキャンペーンコード管理部２３に送信される処理が行われてもよい。この場合には、店舗４の専用端末からの信号に基づいて、キャンペーンコード管理部２３がキャンペーンコードを発行する。そして送信部２５が発行されたキャンペーンコードを店舗４の専用端末に送信し、店舗４の専用端末がキャンペーンコードを印刷などの方法で出力する。
【００７０】
キャンペーンコードを取得した申込者は、商品を引き換えるために店舗４を訪問し、店舗４の店員にキャンペーンコードを提示する（Ｓ３０）。店舗４の店員は、キャッシュレジスタ４３のバーコードリーダなどの情報取得手段によって提示されたキャンペーンコードを読み取り、店舗情報管理部３１に読み取った情報を送信する（Ｓ３１）。店舗情報管理部３１は、受信したキャンペーンコードが適切な商品の引換に用いることができるものであるかを問い合わせる信号を店舗側受信部２６に送信する（Ｓ３２）。
【００７１】
問合せの信号を受信した店舗側受信部２６は、受信した信号をキャンペーンコード管理部２３に引き渡す（Ｓ３３）。キャンペーンコード管理部２３は、受信したキャンペーンコードに基づいて、記憶部２４のキャンペーンコード管理テーブルを参照し（Ｓ３４）、当該キャンペーンコードが使用可能なものであるか判定を行う。
【００７２】
本実施形態について具体的に説明すると、キャンペーンコード管理部２３は、受信したキャンペーンコード「Ｃ１２３４５６７」に基づいてキャンペーンコード管理テーブルを参照する。本実施形態では、受信したキャンペーンコード「Ｃ１２３４５６７」は、未使用のキャンペーンコードとして記憶されているため、キャンペーンコード管理部２３は、受信したキャンペーンコードが使用可能であると判定する。なお、キャンペーンコード管理部２３は、受信した問合せの信号に含まれる申込者識別情報などのその他の情報に基づいてキャンペーンコード管理テーブルを参照し、使用可否の判定を行ってもよい。キャンペーンコード管理部２３は、判定の結果を店舗側送信部２８及び店舗情報管理部３１を介してキャッシュレジスタ４３に送信する（Ｓ３５〜Ｓ３７）。
【００７３】
キャッシュレジスタ４３は、判定の結果を図示されていない表示部に表示する。店舗４の店員は、表示された判定の結果が、キャンペーンコードが使用可能であることを示す情報である場合には、当該キャンペーンコードを提示した申込者に商品を引き渡し（Ｓ３８）、キャッシュレジスタ４３を操作して商品引き渡しの処理を行う。キャッシュレジスタ４３は、商品引き渡しの処理が行われると、提示されたキャンペーンコードが使用されたことを通知する信号を店舗情報管理部３１及び店舗側受信部２６を介してキャンペーンコード管理部２３に送信する（Ｓ３９〜Ｓ４１）。
【００７４】
なお、キャッシュレジスタ４３が、商品引き渡しの処理の際に提示されたキャンペーンコードが使用されたことを通知する信号を、キャンペーンコード管理部２３に送信する機能を有していない場合などには、他の方法によって提示されたキャンペーンコードが使用されたことを通知する信号がキャンペーンコード管理部２３に送信されてもよい。例えば、申込者が、商品を引き換えるために店舗４の店員にキャンペーンコードを提示する際、あるいは店員から商品を引き渡される際に、申込者あるいは店舗４の店員が、携帯端末５の表示部に表示された”このキャンペーンコードを使用します”といった内容が表示されたボタンを押すなどの操作を行うことで、携帯端末５がキャンペーンコード管理部２３にキャンペーンコードが使用されたことを通知する信号を送信してもよい。あるいは店舗４の店員が、キャッシュレジスタ４３に隣接して配置された図示されていない専用端末等を操作することで、提示されたキャンペーンコードが使用されたことを通知する信号がキャンペーンコード管理部２３に送信されてもよい。
【００７５】
キャンペーンコード管理部２３は、記憶部２４のキャンペーンコード管理テーブルに受信したキャンペーンコードが使用されたことを示す情報を記憶させる（Ｓ４２）。この様な情報をキャンペーンコード管理テーブルに記憶させることで、当該キャンペーンコードが再度用いられることを防ぐことが可能となる。本実施形態では、キャンペーンコード管理部２３は、使用された「Ｃ１２３４５６７」のキャンペーンコード管理テーブルの使用欄に、「使用済」の情報を記憶させる処理を行う（図６（ｂ）参照。）。なおキャンペーンコード管理部２３は、使用されたキャンペーンコードをキャンペーンコード管理テーブルから削除する処理を行ってもよい。
【００７６】
３．一次抽選にて申込者が落選した場合の処理
次に、一次抽選にて申込者が落選した場合の処理について、主に図４〜図５を参照して説明を行う。本実施形態では、一次抽選の落選者が、店舗４にて行われる二次抽選の対象となる例に適用して以降の説明を行う。
【００７７】
本実施形態では、キャンペーンの参加申込から第１の結果情報が送信されるまでの処理は、上述のＳ１０〜Ｓ１９と同等の処理が行われる。即ち申込者が、携帯端末５を用いてキャンペーンの参加申込みを行うと、受付部２１がキャンペーンの参加申込を受け付ける（Ｓ１１０）。受付部２１が参加申込を受け付けると、参加申込情報が第一の当選決定部２２に送信され（Ｓ１１１）、第一の当選決定部２２が、抽選画面情報を出力する（Ｓ１１２）。そして送信部２５が、抽選画面、即ちゲームＡの画面を、参加申込を行った申込者の携帯端末５の表示部に表示させる信号を送信する（Ｓ１１３）。
【００７８】
申込者が、ゲームＡの画面に従って携帯端末５を操作すると、その入力情報が受付部２１に送信される（Ｓ１１４）。受付部２１は、送信された入力情報を第一の当選決定部２２に送信する（Ｓ１１５）。第一の当選決定部２２は、受信した入力情報に基づいて、キャンペーンコードを発行するか否かの決定を行い、その決定の結果をキャンペーンコード管理部２３に送信する（Ｓ１１６）。本実施形態では、第一の当選決定部２２が、申込者にキャンペーンコードを発行しない（申込者を落選者として選定する）決定を行う例に適用して以降の説明を行うと、キャンペーンコード管理部２３は、第１の結果情報として落選情報「Ｒ５６９７０」を出力する。なおこの落選情報は、第一の当選決定部２２による決定毎に異なる固有の情報である。
【００７９】
キャンペーンコード管理部２３は、出力した第１の結果情報（落選情報）を、送信部２５に送信する（Ｓ１１７）。またキャンペーンコード管理部２３は、出力した第１の結果情報（落選情報）を、参加申込情報に含まれる申込者識別情報と紐付けて記憶部２４のキャンペーンコード管理テーブルに記憶させる（Ｓ１１８）。
【００８０】
本実施形態では、申込者識別情報として申込者のメールアドレス「ａｂｃｄ＠ｇｇ．ｃｏｍ」が含まれている例に適用して説明を行うと、キャンペーンコード管理部２３は、申込者のメールアドレス「ａｂｃｄ＠ｇｇ．ｃｏｍ」と落選情報「Ｒ５６９７０」を紐付けて記憶させる（図６（ｂ）参照）。なお、キャンペーンコード管理部２３は、発行した落選情報のみを記憶させる処理を行ってもよい。送信部２５は、第１の結果情報（落選情報）を、申込者の携帯端末５の記憶部に記憶させる信号を送信する（Ｓ１１９）。携帯端末５は送信部２５からの信号を受信すると、その記憶部に第１の結果情報（落選情報）を記憶する。
【００８１】
一次抽選にて落選した申込者が、参加申込に用いた携帯端末５を所持して店舗４を訪問し、キャンペーンの再申込（二次抽選）を行う。具体的に申込者は、携帯端末５の無線ＬＡＮ通信機能用いて、自身の携帯端末５を店舗４の通信部４１に接続する。携帯端末５が接続されると、通信部４１は、携帯端末５の識別番号及び携帯端末５の携帯端末情報を取得する（Ｓ２００）。本実施形態では、通信部４１が、携帯端末５の識別情報として携帯端末５のｍａｃ  ａｄｄｒｅｓｓ「ｘｙｚｘｙｚ４５６７８」を取得し、携帯端末５の記憶部から、落選情報「Ｒ５６９７０」を少なくとも含む携帯端末情報を取得する例に適用して以降の説明を行う。
【００８２】
通信部４１は取得した携帯端末５の携帯端末情報と識別情報「ｘｙｚｘｙｚ４５６７８」を、通信管理部３２に送信する（Ｓ２０１）。通信管理部３２は受信した情報を、店舗側受信部２６を介してキャンペーンコード管理部２３に送信する（Ｓ２０２〜Ｓ２０３）。
【００８３】
続いてキャンペーンコード管理部２３は、携帯端末５を所持する顧客が、二次抽選の対象となるか否かの判定処理を行う。具体的にキャンペーンコード管理部２３は、記憶部２４のキャンペーンコード管理テーブルを参照し（Ｓ２０４）、受信した携帯端末情報に含まれる落選情報が、キャンペーンコード管理テーブルに記憶されているものであるか確認して判定処理を行う。本実施形態では、携帯端末情報に含まれる落選情報「Ｒ５６９７０」は、キャンペーンコード管理テーブルに記憶されているため、携帯端末５を所持する顧客が二次抽選の対象となると判定する。なおキャンペーンコード管理部２３は、キャンペーンコード管理テーブルを参照せずに、携帯端末情報に所定の落選情報が含まれているか否かによって当該判定処理を行ってもよい。
【００８４】
キャンペーンコード管理部２３は、携帯端末５が二次抽選の対象であると判定した場合には、受信した携帯端末情報に含まれる落選情報と、携帯端末５の識別情報を紐付けてキャンペーンコード管理テーブルに記憶させる処理を行う（Ｓ２０４）。本実施形態では、キャンペーンコード管理部２３は、キャンペーンコード管理テーブルの情報「Ｒ５６９７０」に紐付けられている「携帯端末識別情報」欄に、携帯端末５の識別情報「ｘｙｚｘｙｚ４５６７８」を記憶させる処理を行う（図６（ｂ）参照）。
【００８５】
なおキャンペーンコード管理部２３は、受信した携帯端末５の識別情報に基づいてキャンペーンコード管理テーブルを参照し、携帯端末５の所有者が既に二次抽選の申込を行ったものであるか否かの判断処理も行う。即ちキャンペーンコード管理部２３は、キャンペーンコード管理テーブルを参照し、受信した携帯端末５の識別情報がキャンペーンコード管理テーブルに記憶されているか否かの確認を行う。当該識別情報がキャンペーンコードに既に記憶されている場合には、当該携帯端末５は、既に二次抽選用いられたものであることを意味している。本実施形態では、受信した識別情報がキャンペーンコード管理テーブルに既に記憶されている場合には、キャンペーンコード管理部２３は、当該携帯端末５の所有者は、二次抽選に参加することができないと判定する処理を行う例に適用して以降の説明を行う。
【００８６】
キャンペーンコード管理部２３は、携帯端末５が二次抽選の対象であると判定すると、その判定の結果、即ち携帯端末５が二次抽選の対象である旨を通知する信号を第二の当選決定部２７に送信する（Ｓ２０５）。
【００８７】
第二の当選決定部２７は、二次抽選の対象である旨の通知を受信すると、再抽選画面情報を店舗側送信部２８に送信する（Ｓ２０６）。本実施形態では、第二の当選決定部２７は、再抽選画面情報としてゲームＢの画面を表示させる信号を店舗側送信部２８に送信する例に適用して以降の説明を行う。
【００８８】
第二の当選決定部２７からの信号を受信した店舗側送信部２８は、通信管理部３２を介して、ゲームＢの表示画面を携帯端末５の表示部に表示させるための信号を通信部４１に送信する（Ｓ２０７〜Ｓ２０８）。通信部４１は受信した信号を所定の携帯端末５に送信する（Ｓ２０９）。通信部４１からの信号を受信すると、携帯端末５の表示部に、ゲームＢの画面が表示される。
【００８９】
本実施形態では、再抽選画面として、ルーレットゲームの画面が携帯端末５の表示部に表示される例に適用して以降の説明を行う。具体的には、携帯端末５の表示部に、回転するルーレットの画像と、ルーレットの回転を停止させる停止ボタンが表示される。再抽選画面が送信された店舗４の顧客が、携帯端末５を操作して表示ボタンを押す操作を行うと、携帯端末５は操作に係る信号（入力情報）を通信部４１に送信する（Ｓ２２０）。
【００９０】
携帯端末５から送信された入力情報は、通信管理部３２及び店舗側受信部２６を介して、第二の当選決定部２７に送信される（Ｓ２２１〜Ｓ２２３）。第二の当選決定部２７は、入力情報を受信すると、当該入力情報を送信した携帯端末５（店舗４の顧客）に、キャンペーンコードを発行するか否かの再度の決定、即ち当選者を再度選定する二次抽選を行う。
【００９１】
本実施形態では、第二の当選決定部２７が、入力情報を送信した携帯端末５にキャンペーンコードを発行する再度の決定を行う例に適用して以降の説明を行うと、第二の当選決定部２７は、キャンペーンコードを発行する再度の決定の結果をキャンペーンコード管理部２３に送信する（Ｓ２２４）。
【００９２】
キャンペーンコード管理部２３は、第二の当選決定部２７の再度の決定の結果に基づいて第２の結果情報を出力する。本実施形態では、キャンペーンコード管理部２３は、第２の結果情報として当選情報である「ＴＢ７８９１２」を出力する例に適用して以降の説明を行う。
【００９３】
第二の当選決定部２７は、出力した第２の結果情報を、携帯端末５の識別情報と紐付けてキャンペーンコード管理テーブルに記憶させる（Ｓ２２５）（図６（ｂ）参照。）。またキャンペーンコード管理部２３は、当選情報を店舗側送信部２８及び通信管理部３２を介して通信部４１に送信する（Ｓ２２６〜Ｓ２２８）。通信部４１は、受信した第２の結果情報を、入力情報を送信した所定の携帯端末５に送信する（Ｓ２２９）。当選情報を受信した携帯端末５の表示画面には、ゲームＢに勝ったことを示すルーレットの画像と、キャンペーンに当選したことを示す画面が表示される。
【００９４】
当選情報を受信した携帯端末５の顧客は、商品との引換に用いられるキャンペーンコードを取得するための手続きを行う。具体的には、携帯端末５を操作して、キャンペーンコードを要求する信号を、当選情報と共に通信部４１に送信する（Ｓ２４０）。
【００９５】
通信部４１は、受信したキャンペーンコードを要求する信号及び当選情報を、通信管理部３２及び店舗側受信部２６を介してキャンペーンコード管理部２３に送信する（Ｓ２４１〜Ｓ２４３）。キャンペーンコード管理部２３は、受信したキャンペーンコードを要求する信号及び当選情報に基づいてキャンペーンコードを発行する。本実施形態では、キャンペーンコード管理部２３が当選情報「ＴＢ７８９１２」に基づいて、キャンペーンコード「Ｃ５６７８９１２」を発行する例に適用して以降の説明を行う。
【００９６】
なお、キャンペーンコード管理部２３は、受信した当選情報（「ＴＢ７８９１２」）や携帯端末５の識別情報に基づいてキャンペーンコード管理テーブルを参照し、受信した当選情報が適正なものであるか判定する処理を行ってもよい。
【００９７】
キャンペーンコード管理部２３は、発行したキャンペーンコードをキャンペーンコード管理テーブルに記憶させる（Ｓ２４４）。具体的には、発行したキャンペーンコード「Ｃ５６７８９１２」を、携帯端末５の識別情報「ｘｙｚｘｙｚ４５６７８」、あるいは当選情報「ＴＢ７８９１２」と紐付けてキャンペーンコード管理テーブルに記憶させる（図６（ｂ）参照。）。
【００９８】
またキャンペーンコード管理部２３は、発行したキャンペーンコードを、店舗側送信部２８及び通信管理部３２を介して通信部４１に送信する（Ｓ２４５〜Ｓ２４８）。そして通信部４１は、受信したキャンペーンコードを、キャンペーンコードを要求する信号を送信した携帯端末５に送信する（Ｓ２４８）。以降は、既に説明を行ったＳ３０〜Ｓ４１と同様の処理が行われ、キャンペーンコードと商品との引換処理が行われる。
【００９９】
４．キャンペーン管理サーバ２の動作の説明
続いてキャンペーン管理サーバ２が行う処理について、主に図７から図９を参照して説明を行う。
（１）抽選の際の動作
キャンペーンの処理が開始されると、受付部２１が申込者からの参加申込を受け付ける（Ｓ３００）（受付ステップ）。受付部２１が申込者からの参加申込を受け付けると、第一の当選決定部２２が、申込者に対してキャンペーンコードを発行するか否かの決定を行う（Ｓ３０５）（一次抽選ステップ）。キャンペーンコード管理部２３は、第一の当選決定部２２からキャンペーンコードを発行するか否かの決定の結果、即ち抽選の結果を受信する。キャンペーンコード管理部２３は、受信した決定の結果がキャンペーンコードを発行する旨の決定である場合（Ｓ３１０にてＹｅｓ）には、当選情報を出力する（Ｓ３２０）。また、キャンペーンコード管理部２３は、受信した決定の結果がキャンペーンコードを発行しない旨の決定である場合（Ｓ３１０にてＮｏ）には、落選情報を出力する（Ｓ３２５）。キャンペーンコード管理部２３は、出力した結果情報をキャンペーンコード管理テーブルに記憶させる（Ｓ３３０）。なおキャンペーンコード管理部２３は、申込者識別情報を受信している場合には、出力した結果情報を申込者識別情報と紐づけてキャンペーンコード管理テーブルに記憶させる処理を行ってもよい。また、送信部２５は、出力された結果情報を申込者の携帯端末５の記憶部に記憶させる信号を送信する（Ｓ３３０）（第１の結果情報送信ステップ）。
【０１００】
（２）二次抽選の動作
一次抽選に申込を行った申込者が店舗４を訪問し、自身の携帯端末５を通信部４１に接続すると、店舗側受信部２６が、通信部４１が取得した携帯端末５の携帯端末情報及び識別情報を受信する（Ｓ４００）（情報取得ステップ）。店舗側受信部２６は、受信した信号をキャンペーンコード管理部２３に送信する。
【０１０１】
キャンペーンコード管理部２３は、店舗側受信部２６が受信した携帯端末情報に所定の第１の結果情報が含まれているか否かを確認する（Ｓ４１０）。本実施形態では、キャンペーンコード管理部２３は、受信した携帯端末情報に落選情報が含まれているか否かを確認する。具体的には、キャンペーンコード管理部２３は、キャンペーンコード管理テーブルを参照し、携帯端末情報にキャンペーンコード管理テーブルに記憶されている落選情報が含まれているか確認する。
【０１０２】
キャンペーンコード管理部２３は、携帯端末情報にキャンペーンコード管理テーブルに記憶されている落選情報が含まれている場合（Ｓ４１０にてＹｅｓ）には、更にキャンペーンコード管理テーブルを参照し、受信した携帯端末５の識別情報がキャンペーンコード管理テーブルに記憶されているか確認を行う（Ｓ４２０）。キャンペーンコード管理部２３は、携帯端末５の識別情報がキャンペーンコード管理テーブルに記憶されていない新たな識別情報である場合（Ｓ４２０にてＹｅｓ）には、第二の当選決定部２７に、二次抽選を行わせる指示を出力する。キャンペーンコード管理部２３からの指示を受信した第二の当選決定部２７は、再申込情報を携帯端末５の表示部に表示させる信号を、店舗側送信部２８を介して携帯端末５に送信し（再申込情報送信ステップ）、二次抽選の処理を行う（Ｓ４３０）。具体的には、第二の当選決定部２７が、再申込情報に基づいて携帯端末５から送信された情報に基づいて、再申込情報を送信した携帯端末５にキャンペーンコードを発行するか否かの再度の決定を行う（二次抽選ステップ）。
【０１０３】
キャンペーンコード管理部２３は、携帯端末情報にキャンペーンコード管理テーブルに記憶されている所定の第１の結果情報が含まれていない場合（Ｓ４１０にてＮｏ）には、携帯端末５に例えば二次抽選の要件を満たしていないことを通知する表示や、キャンペーンの告知に関する情報など、再申込情報（二次抽選に関する情報）とは異なる情報を表示させる信号を出力して（Ｓ４１５）処理を終了する。また、キャンペーンコード管理部２３は、携帯端末情報に当選情報が含まれている場合には、携帯端末５に、既に当選者として選定されている旨を通知する表示や、商品の引換に必要となる手続を案内する表示などを表示させる信号を出力してもよい。
【０１０４】
また、キャンペーンコード管理部２３は、携帯端末５の識別情報が既にキャンペーンコード管理テーブルに記憶されている場合（Ｓ４２０にてＮｏ）には、当該携帯端末５の顧客は、既にキャンペーンの再申込みを行ったものであると判定する。この場合にキャンペーンコード管理部２３は、既に再申込が行われている旨の通知を表示させる信号や、店舗４に関する情報など、再申込情報（二次抽選に関する情報）とは異なる情報を携帯端末５に表示させる信号を出力し（Ｓ４２５）、処理を終了する。
【０１０５】
第二の当選決定部２７にて二次抽選の処理が行われると、キャンペーンコード管理部２３は、第二の当選決定部２７からキャンペーンコードを発行するか否かの再度の決定の結果を受信する（Ｓ４４０）。受信した再度の決定の結果がキャンペーンコードを発行する決定（Ｓ４５０にてＹｅｓ）である場合には、キャンペーンコード管理部２３は第２の結果情報として当選情報を出力する（Ｓ４６０）。受信した再度の決定の結果がキャンペーンコードを発行しない決定（Ｓ４５０にてＮｏ）である場合には、キャンペーンコード管理部２３は第２の結果情報として落選情報を出力する（Ｓ４６５）。
【０１０６】
キャンペーンコード管理部２３は第２の結果情報を、携帯端末５の識別情報と紐付けて記憶部２４のキャンペーンコード管理テーブルに記憶させる（Ｓ４７０）。また、キャンペーンコード管理部２３は第２の結果情報を店舗側送信部２８に送信し、店舗側送信部２８が携帯端末５の表示部に表示させる信号を出力する（Ｓ４８０）（第２の結果情報送信ステップ）。
【０１０７】
（３）キャンペーンコード発行、および商品引換時の動作
受付部２１が当選情報を受信した申込者及び店舗４の顧客からキャンペーンコードの発行要求を受信すると（Ｓ５００）、受付部２１は、受信したキャンペーンコードの発行要求をキャンペーンコード管理部２３に送信する。キャンペーンコード管理部２３は、受信した当選情報に基づいて記憶部２４のキャンペーンコード管理テーブルを参照する（Ｓ５１０）。
【０１０８】
キャンペーンコード管理部２３は、受信した当選情報がキャンペーンコード管理テーブルに記憶された適正なものである場合（Ｓ５２０にてＹｅｓ）場合には、キャンペーンコードを発行する（Ｓ５３０）。キャンペーンコード管理部２３は、発行したキャンペーンコードを携帯端末５の識別情報と紐付けてキャンペーンコード管理テーブルに記憶させる（Ｓ５４０）。
【０１０９】
キャンペーンコード管理部２３は、受信した当選情報がキャンペーンコード管理テーブルに記憶されていないなど、適正なものではないと判断する場合（Ｓ５２０にてＮｏ）には、キャンペーンコードが発行されない旨の通知を携帯端末５に表示させる信号を出力し（Ｓ５３５）、処理を終了する。
【０１１０】
キャンペーンコードが発行された申込者が、商品との引き換えを行うために、店舗４にて発行されたキャンペーンコードを提示すると、提示されたキャンペーンコードを読み込んだ店舗４のキャッシュレジスタ４３が、店舗情報管理部３１を介して当該キャンペーンコードの使用の可否について、キャンペーン管理サーバ２に問い合わせを行う。
【０１１１】
このキャッシュレジスタ４３からの問合せを受信すると（Ｓ６００）、キャンペーンコード管理部２３は、キャンペーンコード管理テーブルを参照し（Ｓ６１０）、問合せを受けたキャンペーンコードが使用可能であるか判定を行う（Ｓ６２０）。
【０１１２】
キャンペーンコード管理部２３は、問合せを受けたキャンペーンコードが使用可能なキャンペーンコードとしてキャンペーンコード管理テーブルに記憶されている場合には、商品との引換が可能である旨の通知（使用許可の通知）をキャッシュレジスタ４３に表示させる信号を出力する（Ｓ６３０）。一方、問合せを受けたキャンペーンコードが使用可能としてキャンペーンコード管理テーブルに記憶されていない場合には、商品との引換ができない旨の通知（使用不許可の通知）をキャッシュレジスタ４３に表示させる信号を出力して（Ｓ６３５）処理を終了する。
【０１１３】
店舗４のキャッシュレジスタ４３から、特定のキャンペーンコードが商品の引換に用いられた旨の通知を受けると（Ｓ６４０）、キャンペーンコード管理部２３は、通知を受けたキャンペーンコードが商品と引き換えられた事を示す情報をキャンペーンコード管理テーブルに記憶させてテーブルを更新する（Ｓ６５０）。
【０１１４】
上記の構成からなるキャンペーン管理システム１によれば、店舗４の顧客の携帯端末５の携帯端末情報に所定の第１の結果情報が記憶されていた場合に、当該顧客は二次抽選の対象者であると判定され、二次抽選が行われる。このため、例えばキャンペーンの参加申込サイトにて行われる一次抽選にて所定の結果を取得した申込者に店舗４を訪問するインセンティブを与えることができる。また、この所定の第1の結果情報を落選情報とすれば、一次抽選の落選者に、店舗を訪問するインセンティブを与えることができる。
【０１１５】
キャンペーン管理システム１は、一次抽選を行う第一の当選決定部２２と、二次抽選を行う第二の当選決定部２７を備えている。このため、例えば一次抽選と二次抽選で行われる抽選方法（本実施形態ではゲーム）がそれぞれ異なるキャンペーンを行うことが容易である。この様にすれば、一次抽選に落選した申込者は、店舗４を訪問すれば異なる抽選（ゲーム）を行うことができることになるため、店舗４を訪問する更なるインセンティブを一次抽選に落選した申込者に与えることができる。
【０１１６】
また、例えば複数の店舗４にてキャンペーンを行う場合において、複数の第二の当選決定部２７を設け、それぞれの第二の当選決定部２７を各店舗４に対応した構成とすることもできる。このようにすれば、例えば引換を行う店舗４毎に、二次抽選の際に異なるゲームが行われるといったキャンペーンの管理を行うことができる。具体的に説明すると、例えば一次抽選は商品のメーカーが主催するキャンペーンの申込サイトで行われ、二次抽選は、商品が頒布される店舗であるコンビニエスストアなどのチェーン店で行われる場合に、チェーン店毎に異なるゲームを行わせるといった管理を行うこともできる。この様にすれば多様化した二次抽選を行うことが可能となり、申込者に対し、店舗を訪問する更なるインセンティブを与えることができる。
【０１１７】
キャンペーン管理システム１は、通信部４１が取得した携帯端末５の識別情報と、キャンペーンコード管理部２３が当該携帯端末５に出力した第１の結果情報を記憶する記憶部２４を有している。このため、例えば既に二次抽選を行った申込者が、再度店舗４を訪問した際に、キャンペーン管理システム１は、当該顧客が既に二次抽選を行った者であるか否かを判断することができる。このため、同一の申込者が何度も二次抽選を行うことを防ぐことができる。あるいは、二次抽選を行った申込者が再度店舗４を訪問した際に、更に異なる情報を表示させるなどの処理を行うなど、更に店舗４を訪問するインセンティブを申込者に与えられる様になる。
【０１１８】
また、本発明に係るキャンペーン管理システム１では、キャンペーンコード管理部２３が出力した第１の結果情報は、記憶部２４に記憶される。このため、二次抽選の際に、キャンペーンコード管理部２３が、通信部４１が取得した携帯端末情報に含まれている第１の結果情報に基づいて記憶部２４を参照すれば、取得した第１の結果情報が適正なものであるかの判断を行うことができる。このため、悪意のある申込者や顧客による二次抽選への不正な参加を防ぐことが可能となる。
【０１１９】
またキャンペーン管理システム１のキャンペーンコード管理部２３は、第１の結果情報、あるいは第２の結果情報に基づいて発行したキャンペーンコードを記憶部２４に記憶する。このため、キャンペーンコード管理部２３は、店舗４から引換に用いられるキャンペーンコードが使用可能であるか問合せを受けた際、記憶部２４を参照することでその判定を行うことができる。このため、複製したキャンペーンコードなどを用いて商品の引換が行われるといった不正を防ぐことが可能となる。
【０１２０】
キャンペーン管理システム１のキャンペーンコード管理部２３は、一次抽選の当選者に、第1の結果情報としてキャンペーンコードが発行されることを示す当選情報を出力する。このため、例えばキャンペーンコードと商品の引換が多数の店舗にて行われる場合に、出力された当選情報に基づいてそれぞれの店舗のシステムに適合したキャンペーンコードを発行することが可能となる。このため、例えば商品の引換が、商品や顧客情報どの管理を行う管理システムがそれぞれ異なる店舗にて行われる場合であっても、キャンペーンの管理は一括して行いながらも、それぞれの店舗の管理システムに適合したキャンペーンコードの発行が可能となる。
【０１２１】
またキャンペーンコード管理部２３が当選者に当選情報を出力することで、一次抽選の申込を所定の期間に限定しつつ、商品との引換可能な期間は、一次抽選の申込期間とは異なる期間を設定することもできる様になる。例えば、一次抽選の申込を所定の期間にする一方、商品とキャンペーンコードの引換可能な期間は、当選情報を用いてキャンペーンコードを発行してからの一定期間といった設定を行うことが可能となる。このようにすれば、申込者は商品との引換を任意に選択できることにもなるため、利便性が増して申込者の満足度も増すことが期待できる。このため、より多くの人がキャンペーンの参加申込を行うようになることが期待できる。
【０１２２】
なお、本発明の技術範囲は上記実施形態に限定されるものではなく、本発明の趣旨を逸脱しない範囲において種々の変更を加えることが可能である。例えば、上記実施形態では、顧客の携帯端末５の携帯端末情報に落選情報が含まれている場合に、キャンペーンコード管理部２３が、当該携帯端末５が二次抽選の対象となる申込者の携帯端末であると判定する例に適用して説明を行ったが、携帯端末情報に当選情報が含まれている場合にも二次抽選の対象となる申込者の携帯端末であると判定する処理を行う様にしてもよい。即ち、顧客の携帯端末５の携帯端末情報に、当選情報あるいは落選情報が含まれている場合に、キャンペーンコード管理部２３が、当該携帯端末５が二次抽選の対象となる申込者の携帯端末であると判定する処理を行う様にしてもよい。
【０１２３】
この様にすれば、更にキャンペーンコードを取得するための機会を与えることができるため、一次抽選の当選者にも店舗４を訪問する更なるインセンティブを与えることができるため、より多くの申込者を店舗に誘導できる様になることが期待できる。また、キャンペーンの射興性を更に増すことにもなるため、より多くの視聴者等がキャンペーンの参加申込を行うことが期待できる。
【０１２４】
また携帯端末情報に、キャンペーンの参加申込サイトの訪問履歴に関する情報など、携帯端末５の所有者が、キャンペーンの申込を行ったことを示す情報が記憶されていた場合に、キャンペーンコード管理部２３が、当該携帯端末５は、二次抽選の対象となる申込者の携帯端末であると判定する処理を行う構成としてもよい。この様にすれば、当選者及び落選者などキャンペーンの参加申込を行った全ての人に対して店舗４を訪問するインセンティブを与えることが可能となる。
【０１２５】
更にキャンペーンコード管理部２３は、携帯端末情報に複数の落選情報が含まれている場合に、当該携帯端末５が二次抽選の対象となる申込者の携帯端末であると判定する処理を行う様にしてもよい。この様にすれば、一次抽選の落選者に店舗４を訪問するインセンティブを与えつつ、二次抽選の対象となる申込者の数が多くなりすぎることを防ぐことが可能となる。また、キャンペーンの射興性を増すことにもなるため、キャンペーンの魅力が増して更に多くの人が参加申込を行う様になることが期待できる。
【０１２６】
上記実施形態では、通信部４１が取得した携帯端末５の識別情報が、キャンペーンコード管理テーブルに記憶されている場合に、キャンペーンコード管理部２３が当該携帯端末５の所有者は、二次抽選に参加することができないと判定する処理を行う例について説明を行った。即ち、既に二次抽選が行われた申込者は、再び二次抽選に参加することができない制御が行われる例に適用して説明を行った。
【０１２７】
一方、例えばキャンペーンコード管理部２３が、携帯端末５に二回目の二次抽選の参加である旨を通知する信号を送信したのちに二次抽選の参加を認める処理を行うなどの処理を行ってもよい。あるいは、キャンペーンコード管理部２３が、予め定められた設定に従って同一の申込者に複数回の二次抽選の参加を認める制御を行う構成としてもよい。具体的に説明すると、例えばキャンペーンコード管理部２３が、キャンペーンコード管理テーブルに携帯端末５の識別情報を記憶させる際に、その時間に関する情報も記憶させる。そして、携帯端末５の識別情報が、キャンペーンコード管理テーブルに記憶されている場合であっても、当該識別情報に関連づけて記憶されている時間から予め定められた所定の期間が経過している場合には、キャンペーンコード管理部２３が、当該携帯端末５による二次抽選への参加を認める処理を行う様にしてもよい。
【０１２８】
あるいは、携帯端末５の識別情報がキャンペーンコード管理テーブルに記憶された日と異なる日である場合（あるいは異なる月）には、キャンペーンコード管理部２３が、二次抽選への参加を認める処理を行う様にしてもよい。または携帯端末５の識別情報が、キャンペーンコード管理テーブルに記憶されている場合であっても、前回の二次抽選への参加時間から所定の時間経過している場合や、前回二次抽選に参加した日とは異なる日である場合には、キャンペーンコード管理部２３が、二次抽選への参加を認める処理を行う様にしてもよい。
【０１２９】
更にキャンペーンコード管理部２３は、携帯端末５の識別情報を受信した日付が、管理者が予め設定した数字（例えば「１」や「２」の数字など）を含む日付の場合に、受信した識別情報がキャンペーンコード管理テーブルに既に記憶されているか否かに関わらず、あるいは以前に当該携帯端末５によって二次抽選への参加申込みが行われた回数等に関わらず、二次抽選への参加を認める処理を行ってもよい。この様にすれば、参加申込者に対して店舗を訪れる更なるインセンティブを付与することになり、より多くの申込者を店舗に誘導することができることが期待できる。
【０１３０】
上記実施形態では、受付部２１と送信部２５がそれぞれ設けられた構成を例に適用して説明を行ったが、受付部２１と送信部２５が同一のハードウェアなどから構成されていてもよい。同様に店舗側受信部２６と店舗側送信部２８がハードウェアなどから構成されていてもよい。あるいは、受付部２１、送信部２５、店舗側受信部２６及び店舗側送信部２８が同一のハードウェアから構成されてもよい。この様にすれば、キャンペーン管理サーバ２の構成をより簡易なものとすることが可能となる。
【０１３１】
また、キャンペーン管理システム１が管理するキャンペーンの数に応じ、複数の受付部２１及び送信部２５を備えた構成としてもよい。或いは複数の店舗側受信部２６及び店舗側送信部２８を備えた構成としてもよい。この様にすれば、異なるキャンペーンの管理を同時に行える様になる他、多くの店舗４や、複数のチェーン店にて商品の引換や二次抽選の申込が行われる様なキャンペーンの管理を行うことも可能となる。
【０１３２】
なお、上記実施形態では、キャンペーンコード管理部２３が当選者に対して当選情報を出力する例に適用して説明を行ったが、キャンペーンコード管理部２３が、第一の当選決定部２２による決定に基づいて、当選情報としてキャンペーンコードを発行する様にしてもよい。この様にすれば、申込者は、キャンペーンコード管理部２３に対して改めてキャンペーンコードを要求する手続きを行う必要がない。このため簡易な手続きでキャンペーンコードお取得可能なキャンペーン管理システム１を提供することが可能となる。
【０１３３】
また上記実施形態では、キャンペーンコード管理部２３が、通信部４１が取得した携帯端末情報に基づいて、携帯端末５を所持する顧客が二次抽選の対象となるか否かの判定処理を行う例に適用して説明を行ったが、例えば通信管理部３２などのその他の部分が当該判定処理を行う構成としてもよい。
【０１３４】
＜変形例の説明＞
上記実施形態では、キャンペーン管理サーバ２が第一の当選決定部２２と第二の当選決定部２７を備えた構成について説明を行ったが、それぞれの機能を有する当選決定部８１０を備えた構成としてもよい。図１０を参照して詳細に説明すると、本変形例にかかるキャンペーン管理システム７００の基本構成は、第１の実施形態と同様であるが、第１の実施形態とは、キャンペーン管理サーバ２の一部の構成が異なっている。したがって以降において、キャンペーン管理サーバ２の異なる構成について説明を行い、その他の部分は第１の実施形態と同一の番号を付してその説明を省略する。
【０１３５】
本実施形態にかかるキャンペーン管理システム７００のキャンペーン管理サーバ８００は、受付部２１、当選決定部８１０、キャンペーンコード管理部２３、記憶部２４、送信部２５、店舗側受信部２６、第二の当選決定部２７及び店舗側送信部２８から主に構成されている。
【０１３６】
当選決定部８１０は、第1の実施形態における第一の当選決定部２２と第二の当選決定部２７の二つのそれぞれの機能を有したものである。具体的に説明すると、当選決定部８１０は、一次抽選において申込者にキャンペーンコードを発行するか否かを決定する機能、及び一次抽選の抽選画面を申込者の携帯端末５の表示部に表示させる信号を出力する機能を有する。更に当選決定部８１０は、店舗４の顧客の携帯端末５に再抽選画面を表示させる信号を出力する機能、及び二次抽選において申込者にキャンペーンコードを発行するか否かを決定する機能を少なくとも備えている。
【０１３７】
上記の構成からなるキャンペーン管理システム７００では、第1の実施形態の第一の当選決定部２２と第二の当選決定部２７に代えて、それぞれと同一の機能を有した当選決定部８１０が用いられている。このため、簡易な構成のキャンペーン管理システム７００を提供することが可能となる。
【符号の説明】
【０１３８】
１・・・キャンペーン管理システム    ２・・・キャンペーン管理サーバ
３・・・店舗管理サーバ    ４・・・店舗    ５・・・携帯端末
６・・・インターネット回線    ２１・・・受付部
２２・・・第一の当選決定部    ２３・・・キャンペーンコード管理部
２４・・・記憶部    ２５・・・送信部    ２６・・・店舗側受信部
２７・・・第二の当選決定部    ２８・・・店舗側送信部
３１・・・店舗情報管理部    ３２・・・通信管理部    ４１・・・通信部
４２・・・店舗サーバ    ４３・・・キャッシュレジスタ
７００・・・キャンペーン管理システム    ８００・・・キャンペーン管理サーバ
８１０・・・当選決定部
【図１】
2020030655.tif 000003
【図２】
2020030655.tif 000004
【図３】
2020030655.tif 000005
【図４】
2020030655.tif 000006
【図５】
2020030655.tif 000007
【図６】
2020030655.tif 000008
【図７】
2020030655.tif 000009
【図８】
2020030655.tif 000010
【図９】
2020030655.tif 000011
【図１０】
2020030655.tif 000012